(57)【要約】 【課題】使用時には撮像ユニットをカメラ本体に装着して安定した姿勢で撮影を行なうことができ、さらに非使用時には撮像ユニットを取り外した状態で撮像ユニットとカメラ本体との双方を容易に持ち運びことができる撮影装置を提供する。【解決手段】カメラ本体１１に収納部１１０を設ける。非使用時にはその収納部１１０に撮像ユニット１０を収納して持ち運び、使用時にはその収納部１１０から撮像ユニット１０を取り出して装着部１１５に装着する。図１（ａ）に示す撮影装置の格好にするとこの撮影装置を持った撮影者にいままでの交換レンズ式のカメラと同様の重量感および持ったときの感触を与えることができる。【選択図】図１
2007133147.tif 000002
【特許請求の範囲】
【請求項１】
撮像ユニットと、該撮像ユニットが着脱自在に装着される装着部を有するカメラ本体とを備えた撮影装置において、
前記カメラ本体は、前記撮像ユニットが収納される収納部を備えたものであって、
非使用時には、前記撮像ユニットが前記カメラ本体の前記収納部に収納され、使用時には該撮像ユニットが該収納部から取り出され前記カメラ本体の装着部に装着されて用いられるものであることを特徴とする撮影装置。
【請求項２】
前記撮像ユニットは、撮像素子を含むものであることを特徴とする請求項１記載の撮影装置。
【発明の詳細な説明】
【技術分野】
【０００１】
本発明は、撮像ユニットと、その撮像ユニットが着脱自在に装着される装着部を有するカメラ本体とを備えた撮影装置に関する。
【背景技術】
【０００２】
撮像ユニットとその撮像ユニットが着脱自在に装着される装着部を有するカメラ本体とを備えた撮影装置がある（例えば特許文献１参照）。このような撮影装置にあっては、非使用時において撮像ユニットを装着したまま手に持って持ち運ぶか、あるいは撮像ユニットとカメラ本体とをケースに収納して持ち運ばなければならない。そこで、持ち運び易いようにストラップ付きのショルダーバックのような収納ケース内にカメラ本体および撮像ユニットを収納することができるようにしているものがある（例えば特許文献２参照）。
【０００３】
また、持ち運びやすさだけでなく、交換用の撮像ユニットとの交換をいち早く行なうことができるようにとカメラ本体に付いている肩掛け用のストラップに交換用の撮像ユニットを保持することができるようにしているものもある（例えば特許文献３参照）。
【０００４】
ところで、撮像素子を撮像ユニットに組み込むようにしてその撮像ユニットをカメラ本体に装着するような撮影装置が提案されている（例えば特許文献４参照）。この特許文献４のように撮像ユニットに撮像素子が組み込まれるようになると、いままでのようにカメラ本体側に撮像素子およびその撮像素子に被写体を導くレンズを組み込む必要がなくなってカメラ本体内に空きスペースが生まれる。この空きスペースを省くことによりカメラ本体を小さくすることもできるが、そうすると撮像ユニットをカメラ本体に装着して撮影を行なおうとしているときに撮像ユニットとカメラ本体とのバランスが大きさと重量の点で崩れて撮影時に撮影姿勢が安定しなくなる恐れがある。
【特許文献１】特開平０８−２５４７３９号公報
【特許文献２】特開平０９−０４７３１３号公報
【特許文献３】特開２０００−１８７２７１号公報
【特許文献４】特開２００５−１９７８８２号公報
【発明の開示】
【発明が解決しようとする課題】
【０００５】
本発明は、上記事情に鑑み、使用時には安定した姿勢で撮影を行なうことができるとともに、非使用時には撮像ユニットとカメラ本体との双方を容易に持ち運びことができる撮影装置を提供することを目的とする。
【課題を解決するための手段】
【０００６】
上記目的を達成する本発明の撮影装置は、撮像ユニットと、その撮像ユニットが着脱自在に装着される装着部を有するカメラ本体とを備えた撮影装置において、
上記カメラ本体は、上記撮像ユニットが収納される収納部を備えたものであって、
非使用時には、上記撮像ユニットが前記カメラ本体の上記収納部に収納され、使用時にはその撮像ユニットがその収納部から取り出され上記カメラ本体の装着部に装着されて用いられるものであることを特徴とする。
【０００７】
ここで、上記撮像ユニットは、撮像素子を含むものであることが好ましい。
【０００８】
上記本発明の撮影装置によれば、この撮影装置は、非使用時に上記カメラ本体が備える上記収納部に上記撮像ユニットが収納されてカメラ本体と撮像ユニットとの双方が持ち運ばれ、また使用時には上記撮像ユニットが上記カメラ本体に着脱自在に装着されて撮影が行なわれる。
【０００９】
そうすると、使用時にあっては、上記収納部の収納スペースにある程度の大きさを持つ上記カメラ本体に上記撮像ユニットが装着されるため、撮像ユニットとカメラ本体との大きさおよび重量のバランスがある程度保たれるようになり、さらに非使用時にあっては上記カメラ本体が備える上記収納部内の収納スペースにすっぽりと撮像ユニットが収納され撮像ユニットとカメラ本体との双方がさもカメラ本体のみが持ち運ばれるように持ち運ばれるようになる。
【発明の効果】
【００１０】
以上、説明したように、使用時には安定した姿勢で撮影を行なうことができ、さらに非使用時には撮像ユニットとカメラ本体との双方を容易に持ち運ぶことができる撮影装置が実現する。
【発明を実施するための最良の形態】
【００１１】
以下、本発明の実施の形態について説明する。
【００１２】
図１は本発明の一実施形態である撮影装置１の外観を示す図である。
【００１３】
図１（ａ）には撮像ユニット１０がカメラ本体１１に装着された状態にあるときの撮影装置１を前方斜め上方から見た斜視図が示されており、図１（ｂ）には図１（ａ）に示す状態にあるときの撮影装置１を横方向から見た側面図が示されている。また図１（ｃ）には撮像ユニット１０がカメラ本体１１の収納部１１０に収納された状態にあるときの撮影装置１を、前方斜め上方から見た斜視図が示されている。
【００１４】
図１（ａ）に示す撮影装置１は、撮像ユニット１０と、その撮像ユニット１０が着脱自在に装着される装着部１１５を有するカメラ本体１１とを備えたものである。撮像ユニット１０の方には撮像素子（不図示）と撮影レンズ（不図示）が内蔵されており、この撮像ユニットでは撮影レンズで被写体を撮像素子に結像させ結像させた被写体を表わす画像データが生成され出力される。その出力された画像信号を受けてカメラ本体１１ではその画像信号の信号処理が行なわれ記録メディアに記録されたり、不図示の表示画面上に画像が表示されたりする。
【００１５】
また、カメラ本体１１のボディ上面には、モードダイヤル１１１とレリーズボタン１１２が配備され、また外部フラッシュ装置を装着するためのホットシュー１１３が備えられている。さらにカメラ本体１１の背面上部側にはファインダ１１４も備えられている。なお不図示のカメラ本体１１の背面側には表示画面が備えられているのでその表示画面をファインダ代わりに用いることもできるようになっている。
【００１６】
本実施形態に掲げた撮影装置を構成するカメラ本体１１は、さらに、非使用時に撮像ユニット１０が収納される収納部１１０を備えていて非使用時には撮像ユニット１０がカメラ本体１１から取り外されてその収納部１１０に収納されるようになっている。また使用時にはその撮像ユニット１０がその収納部１１０から取り出されカメラ本体１１の装着部１１５に装着されて用いられる。
【００１７】
図１（ａ）、（ｂ）に示すように撮像ユニット１０がカメラ本体１１に装着された状態にあるときにモードダイヤル１１１が撮影モードに切り替えられレリーズボタン１１２が押されたら撮影が行なわれる。レリーズボタン１１２が押されたときにはカメラ本体１１から撮像ユニット１０に向けて撮影開始の合図を告げる信号が供給されその信号のタイミングに応じた露光開始信号と露光終了信号とが撮像ユニット１０の撮像素子に供給されることによって撮影時に撮影レンズが捉えていた被写体を表わす画像データが撮像素子で生成され生成された画像信号が、撮像ユニット１０からカメラ本体側に出力されるようになっている。
【００１８】
ところで本実施形態では、上記課題を解決するためにカメラ本体１１をあえて小型化せずに、撮像素子を撮像ユニット１０に配備したために生じる空きスペース（いままでの交換レンズであればレンズ群やフィルム装填室等が設けられていたところ）に、収納部１１０を設けて撮像ユニット１０を収納することができるようにしている。このため、図１（ａ）に示す状態にあるときにこの撮影装置１を持って撮影を行なおうとしているときには安定した姿勢（ある程度の重量感と大きさの感触を手に伝える）でこの撮影装置１を構えることができる。
【００１９】
また撮影が終了して撮像ユニット１０がカメラ本体１１から取り外されて図１（ｂ）に示す蓋１１０１が開けられ収納部１１０に収納されると図１（ｃ）に示す様になる。図１（ｃ）に示すように撮像ユニット１０がカメラ本体１１に収納された後、図１（ｂ）に示す蓋１１０１が閉じられると撮像ユニット１０が収納部に収納されてカメラ本体１１のみになって持ち運び易い形になる。
【００２０】
ここで、図１に示した収納部１１０と蓋１１０１の部分の構造を図２を参照して説明しておく。
【００２１】
図２は、収納部１１０と蓋１１０１の構造を説明する図である。
【００２２】
図２（ａ）には、蓋１１０１が閉状態にされたままの状態が示されており、図２（ｂ）には、蓋１１０１が閉状態から開状態にされようとしているときの状態が示されている。また図２（ｃ）には蓋１１０１が完全に開けられて収納部に収納されていた撮像ユニット１０が取り出されて装着部１１５に装着された状態が示されている。
【００２３】
図２（ａ）に示すように蓋１１０１の一端側に蓋１１０１を回転させるための回転軸１１０１０が設けられている。この回転軸１１０１０からカメラ本体１１が備える装着部１１５側に向かって回転軸１１０１０と共に回転する蓋支持部１１０１１が設けられている。その回転軸１１０１０には捩じりばね１１０１３が巻回されていて、その捩じりばね１１０１３の一端が蓋支持部１１０１１側に配設され他端側がカメラ本体側に係合されている。  つまり、蓋支持部１１０１１側に配設された捩じりばねの一端は蓋支持部１１０１１を蓋開側へ付勢するようにして配設されている。
【００２４】
また蓋１１０１は蓋支持部１１０１１にスライド自在に連結されていてその蓋１１０１にはカメラ本体１１の凹凸１１Ａ部と係合する凹凸１１０１Ａが設けられている。この蓋１１０１が図２（ａ）に示すように図の右側に押し込まれた状態にあるときには蓋１１０１の凹凸部１１０１Ａがカメラ本体の凹凸部１１Ａに係合して蓋１１０１が開かなくなる。またこの状態にあるときに図２（ｂ）に示すように蓋１１０１が図２の左側に引き出され始めると、蓋の凹凸部１１０１Ａとカメラ本体１１の凹凸部１１Ａとの係合が除々に解かれさらに蓋１１０１が完全に引き出されると双方の凹凸部の係合が完全に解かれて蓋が開くようになる。そうしたら、捩じりばね１１０１３の付勢力により勢い良く蓋１１０１が外方へ向けて開き図２（ｃ）に示す様になる。このように収納部とその収納部を密閉するための蓋は容易に製作される。
【００２５】
以上説明したように、使用時には撮像ユニットをカメラ本体に装着して安定した姿勢で撮影を行なうことができ、さらに非使用時には撮像ユニットとカメラ本体との双方を容易に持ち運びことができる撮影装置が実現する。
【００２６】
図３は、第２実施形態を説明する図である。
【００２７】
図３（ａ）には、第２実施形態であるデジタルカメラを前方斜め上方から見た斜視図が示されており、図３（ｂ）には、図３（ａ）に示すデジタルカメラの高さ方向を２等分するようにこのデジタルカメラを切断してその切断面を上方から見た図が示されており、図３（ｃ）には、グリップ部２１０側の側面を横方向から見た図が示されている。
【００２８】
図２では、従来の交換レンズとカメラ本体とで構成される撮影装置であれば撮像素子およびレンズ群が配備されるところに収納部１１０を設けた例を示したが、図３では撮影装置を持ちやすくするためにわざわざ膨らみを持たせているグリップ部２１０内に収納部２１０１を設けてその収納部２１０１に撮像ユニット２０を収納するように改良している。
【００２９】
このようにしても使用時には撮像ユニット２０をカメラ本体２１に装着して安定した姿勢で撮影を行なうことができ、さらに非使用時には撮像ユニットとカメラ本体との双方を容易に持ち運びことができる撮影装置が実現する。
【００３０】
図４は、第３の実施形態を説明する図である。
【００３１】
図４には図１に示した位置と図３に示した位置との双方にそれぞれ収納部３１０，３１１を設けた例が示されている。
【００３２】
図４に示すように、２つの収納部３１０，３１１をグリップ部と撮像ユニットが装着される装着部後方に設けて、種類の異なる２つの撮像ユニット３０Ａ，３０Ｂを収納することができるようにすると、被写体に応じて２つの撮像ユニットのいずれかを装着することができになる。その結果、構図の異なる被写体の撮影を楽しむことができるようになる。
【００３３】
ここで、撮像ユニットが撮像素子を備えていることを考えると、画像信号を伝える電気接点を何らかの形で設けることさえできればカメラ本体にわざわざ装着部を設ける必要はない。このように装着部を設ける必要がなければ、撮像ユニットの収納部の構造を以下の様にすることもできる。
【００３４】
図５、図６は、別の実施形態であって撮像ユニットとカメラ本体との間の配線をフレキシブル基板により行なうことによって装着部の構造をより簡易にした場合の構成を説明する図である。
【００３５】
図５、図６には、操作子の操作に応じて撮像ユニット４０，５０を撮影可能な状態にしたり、撮像ユニット４０，５０を収納状態にしたりすることができるようにした例が掲げられている。
【００３６】
図５、図６双方とも、収納部４１０，５１０の一面を開放してその開放した面側で撮像ユニット４０，５０の一端側を回転自在に軸支するようにして撮像ユニットを収納部から取り出して撮影可能な状態にしたり、収納状態にしたりすることができるようにしている。
【００３７】
まず図５を参照して構成を説明する。
【００３８】
図５（ａ）には、撮像ユニットが撮影可能な位置に配置された状態にあるときの構成が示されており、図５（ｂ）には、撮像ユニットが収納部に収納された状態にあるときの構成がしめされている。また図５（ｃ）には、図５（ｂ）に示す状態にあるときの撮像ユニットを底面側から見た図が示されている。
【００３９】
図５の例では、図５（ｂ）に示す収納状態にあるときには撮像ユニット４０の収納部４１０側の保持部（不図示）により保持されるようになっていて、この図５（ｂ）に示す状態にあるときに操作子の操作が行なわれるとその保持部による保持が解放され撮像ユニット４０が操作に応じて回転して図５（ａ）に示す位置まで回転するようになっている。このように操作子の操作により収納部４１０から取り出されて撮影可能な位置まで撮像ユニット４０が回転したら操作に連動して動いた固定用部材４２により撮像ユニット４０がその位置に保持される。この図５（ａ）に示す状態で撮影が行なわれる。
【００４０】
そしてこの撮影装置４による撮影が終了したら、操作に応じて固定用部材４２が移動して図５（ａ）に示す撮影可能状態にあった撮像ユニット４０が収納状態位置まで回転して図５（ｂ）に示すように内部の保持機構により保持されるようになっている。
【００４１】
さらにこの例では、収納部４１０の一面を開放したため、その開放面からゴミなどが入って撮像ユニット４０にゴミが付着しないように図５（ｃ）に示すようにカバー４１Ａをかけるようにしている。
【００４２】
このようにしても非使用時には撮像ユニット４０とカメラ本体４１との双方をカメラ本体のみを持ち運ぶように持ち運ぶことができ、さらに使用時には安定した撮影を行なうことができる撮影装置が実現する。
【００４３】
また、図６には、撮像ユニット５０を収納部５１０に操作に応じて押し込むようにしたり、引き出すようにした場合の構成が示されている。
【００４４】
図６（ａ）には、撮像ユニット５０が収納される収納部５１０周辺の構造が示されており、図６（ｂ）には、撮影装置５の底面部の構成が示されている。
【００４５】
この例ではカメラ本体５１に一端が固定されているばね５１２の他端側の先端に撮像ユニット５０の背面を押す固定部材５１３を設けてその固定部材５１３に操作用のノブ５１４を係合させ、さらにその操作用のノブ５１４の操作に応じた位置に撮像ユニット５０を配置して保持することができるようにしている。図６には底面側からこの撮影装置を見たときに撮影装置内部が見えないようにするための目隠し部材５１５なども図示されている。
【００４６】
このようにしても、使用時には安定した姿勢で撮影を行なうことができ、さらに非使用時には撮像ユニットとカメラ本体との双方を容易に持ち運びことができる撮影装置が実現する。
【図面の簡単な説明】
【００４７】
【図１】本発明の一実施形態である撮影装置１の外観を示す図である。
【図２】収納部１１０と蓋１１０１の構造を説明する図である。
【図３】第２実施形態を説明する図である。
【図４】第３実施形態を説明する図である。
【図５】第４実施形態を説明する図である。
【図６】第５実施形態を説明する図である。
【符号の説明】
【００４８】
１  ２  ３  ４  ５  撮影装置
１０  ２０  ３０  ４０  ５０  撮像ユニット
１１  ２１  ３１  ４１  ５１  カメラ本体
１１０    ２１０  ３１０  ４１０  ５１０  収納部
１１０１    蓋
１１０１０    回転軸
１１０１１    蓋支持部
１１０１２    押さえ
１１０１３    捩じりばね
１１５    装着部
【図１】
2007133147.tif 000003
【図２】
2007133147.tif 000004
【図３】
2007133147.tif 000005
【図４】
2007133147.tif 000006
【図５】
2007133147.tif 000007
【図６】
2007133147.tif 000008